(57)【要約】      （修正有）【課題】簡単かつ軽量な道具によって、スマートに、又片手で、立ったままの姿勢で、床に落ちたコインを容易に拾い集めるものである。【解決手段】先端の断面形状をくさび状にして、下方に折り曲げた形状の、取り込み口１を有する集拾箱２と、メタル４を取り込むための集拾具３とによって構成され、集拾具３が集拾箱２に接近することにより、メタル４を集拾箱２に取り込む機構を持つ集拾容器と、集拾箱２の上部に柄１８を設け、柄の上部の操作により、集拾部３を作動させることが出来る、集拾容器を提供する事により、効率良く、スマートで、操作容易な、メタル集拾器、また、小物収集器を提供する。【選択図】図７
0003110372.tif 000002
【実用新案登録請求の範囲】
【請求項１】
先端の断面形状をくさび状にして、下方に折り曲げた形状の取り込み口−２−を有する収集容器−３−と、収集物−５−を取り込むための、収集具−４−とによって構成、され、収集具−４−が収集容器−３−に接近することにより、収集物−５−が収集容器−３−に取り込まれる機構を持つ、収集容器。
【請求項２】
取り込み口−２−の反対側に、収集容器−３−を床面にほぼ水平に保たせても、収集容器−３−の底面に空間を持たせるための部品−２０−を備えた、請求項１の収集容器。
【請求項３】
収集容器−３−の上部に柄を設け、柄の上部での操作により、収集具−４−を移動させることができる、請求項１、および請求項２の、収集容器。
【考案の詳細な説明】
【技術分野】
【０００１】  本発明は、スロットルマシンの遊戯店に於いて使用される、メタル（コインともよばれるが、ここでは、メタルという語に統一して使用する。）が床に落ちた際に、それを拾う為に使用するものである。
【背景技術】
【０００２】  スロットルマシンの遊戯店では、メタルを床に落とすことが頻繁にある。頻繁にあるにもかかわらず、客はそれをひろいたがらない。ゲームに気をとられていることもあり、自分は客だという意識も働くからであろう。床に落ちたメタルの多くを拾うことになるのは、その店の従業員である。遊技場という性格上、床にしゃがみこんで拾うのは不細工な姿である。ほうきと塵取りでかき集めるのもいかがなものかと思われる。又ほうきと塵取りで行う作業は、両手をふさがれるという苦痛と不便さもある。
遊戯店従業員の行動は、遊戯店であるが故にスマートに、効率よく行いたいものである。
【考案の開示】
【考案が解決しようとする課題】
【０００３】本発明は、そのような欠点を除く為になされたもので、簡単かつ軽量な道具によって、スマートに、又片手で、立ったままの姿勢で、床に落ちたコインを容易に拾い集めるものである。
【課題を解決するための手段】
【０００４】  それを図面について説明すれば。メタルを集拾する際に、図１のように集拾容器の先端−１−を鋭利にして、それを水平にして使い、メタルをすくい取ろうとするが、うまくすくい取れない。特に小さいものやうすいものは、先端に阻害されたりその下にもぐりこまされてしまう。図１の取り込み口−１−を図２の取り込み口−１−のごとく傾斜させて使用すれば、集拾物をすくい取ることが出来る。
これは、度重なる実験によっても得られた結果であるが、メタルをすくい取る際、先端を鋭利にしても、平らな面を持つ集拾容器が床に水平に置かれたとき、床にぴったりとつけるのは困難であるため、メタルをすくい取れない事が多々ある。この現象はちいさなもの、薄いものに顕著である。現実に塵取りで集拾物をすくいとる際には、集拾物が滑り落ちるのも省みずに、塵取りを斜めにして使用している。
これを図３に示すように、くさび状にした先端を下方に折り曲げた形状の取り込み口−１−を持つ集拾容器とすれば、集拾物は難なく集拾容器に取り込まれる。
取り込み口−１−の反対側に、収集箱−２−をほぼ水平に保たせても、収集箱−２−の底面に空間保持部品−２３−を備えれば、ただ収集物に対して置くだけで、取り込み口−１−と集拾部−５−は、取り込み可能の体勢となる。
これでメタルー４−を取り込めばよいのであるが、箒など他の物を使用したのでは、本考案の使命が半減される。
集拾箱−２−と、メタルー４−を取り込むための、集拾具−３−とによって構成された収集容器であれば、箒など他の物を使用する必要はない。
その機構について、本考案で述べるものではないが、たとえば、図４、図５に示すように集拾具−３−に取り付けられたスライド部品−１０−を、集拾箱−２−に施されたガイドー１１−に収容する。ガイド奥部分にはスプリングー１２−を収容する。
軸−１３−を集拾具−３−に、軸−１６−を集拾箱−２−にとりつけた、マジックハンド機構で、引っ張り用軸−１７−をひくことにより、腕−８−を介して、マジックハンドー７−を開き、集拾具−３−を集拾箱−２−にひきよせる。メタルは集拾箱内に収容される。（図６）。そのとき圧縮されたスプリングー１２−は、引っ張る力を解放すると、元の状態にもどる。マジックハンドー７−も集拾具−３−も元に戻る。
図７にしめすように、集拾箱−２−の上面に柄−１８−を取り付けて、手で持てるように、ハンドル部分−１９−を施す。その近く、にレバーー２０−を設置する。レバーー２０−から集拾箱−２−の背面部（取り込み口−１−の反対側）に達するブレーキワイヤー２１−（自転車のブレーキ操作やギヤー操作等に使用される、コイルバネ状の筒の中にワイヤーを通し、一端に引っ張り力を与えると，他端にその力を伝える機構を持つものであるが、一般的には普及された名称ではない。ここではこの名称をもちいる。）を設け、その先端を引っ張り用軸−１２−に連動させてひっぱれば、マジックハンドー７−は開き、集拾具−３−は集拾箱−２−に引き寄せられ、これによってメタルは集拾部−５−にとりこまれる。柱をパイプ状にして、ブレーキワイヤーの大部分を、柱内に収容すれば、スマートな形になる。
【考案の効果】
【０００５】集拾箱−２−と集拾具−３−が一体となり、それに柄−１８−が設置されているので、作業者が片手でそれを持ち，体勢を変える事なく片手のままで操作をできる。
これは単に作業者の苦痛を軽減するだけでなく、スロットルマシンの遊戯店内でのメタル拾いをスマートに、客から見ての違和感のない作業にする事ができる。
【考案を実施するための最良の形態】
【０００６】  各部の機構については、様々な方法がある。たとえば、前述のマジックハンドの機構によらなくても、直接集拾具−３−を集拾箱−２−に引き寄せてもよいし、単純なてこによってもその用を成しうる。又図及び前述の説明のごとく、スライド部品−１０−は両端にあるように、そして丸もしくはむく状のごとくあるが、それにこだわることはない。図８、図９、図１０に示すごとく、スライド部品−１０−は中央に一本だけ在るが、それが中央からそれていようと、本数が何本になろうと、その用をなしうる強度さえあれば、こだわることは無い。集拾具−３−についても、集拾箱−２−が床に置かれたとき、スライド部品−１０−とガイドー１１−とのクリアランスによって、集拾具−３−は床面にぴったりとつく。図面では、板状のものを図示してあるが、ブラシ状のもの、スポンジ状のもの等、又はそれらのものを板状のものに取り付けても、用途に応じて適材適所である。集拾箱−２−の下に設けられた空間保持部品−２３−は、図４とそれ以外の図のものとはことなるが、空間をたもてれば形状にこだわらない。
柄−１８−とブレーキワイヤーー２１−との関係に於いても、ブレーキワイヤーを使用しないで、直接柄−１８−のパイプ内部にワイヤーを通して、引っ張る役目をさせてもよい。
ただ、ブレーキワイヤーー２１−を使用することにより、柄−１８−に自由が保たれ、集拾箱−２−の使用位置変化に対応して、集拾箱−２−と柄−１８−との接合関係に於いて、自由な角度がたもたれる。
ガイド奥部に施されるスプリングー１２−は、コイルの圧縮バネが、図から想定されるものであるが、状況や構成によっては、引っ張りバネでもゴムでも錘でも、集拾具−３−を元の位置にもどせるものを使用すればよい。
要は、集拾箱−２−と集拾具−３−とによって柱−１８−を介して、メタルを容易にスマートに効率良く集拾することが目的である。
【実施例】
【０００７】  たばこの吸殻のような物等を集拾する際にも、上記の理由から、効率よく苦痛のない、違和感のない作業を容易にすることができる。
【産業上の利用可能性】
【０００８】  上記のような機構、用途から、スロットルマシンの遊戯店に於いて、有効な仕事をするのみならず、たばこの吸殻や、小物のごみを集拾するのに、便利な道具となり得る。
【図面の簡単な説明】
【０００９】
【図１】  本考案の説明用の側面図である。
【図２】  本考案の説明用の側面図である。
【図３】  本考案の説明用の側面図である。
【図４】  本考案の側面図である。
【図５】  本考案の平面図である。
【図６】  本考案の平面図である。
【図７】  本考案の側面図である。
【図８】  本考案の実施例の平面図である。
【図９】  本考案の実施例の側面図である。
【図１０】  本考案の実施例の背面図である。
【符号の説明】
【００１０】１、取り込み口    ２、集拾箱    ３、集拾具    ４、メタル    ５、集拾部    ６、集拾部の、マジックハンド軸受け    ７、マジックハンド    ８、腕    ９、引っ張り用ワイヤー    １０、スライド部品    １１、ガイド    １２、スプリング    １３、集拾部の、マジックハンドの軸    １４、マジックハンドの軸    １５、マジックハンドー７−と腕−８−とを結合する軸    １６、集拾箱に取り付けらた、マジックハンドの軸    １７、腕−８−と引っ張り用ワイヤーー９−とを結合するワイヤー    １８、柄    １９、ハンドル    ２０、レバー    ２１、ブレーキワイヤー、    ２２、集拾箱に設けられた、柄をささえる軸    ２３、空間保持部品    ２４、床
【図１】
0003110372.tif 000003
【図２】
0003110372.tif 000004
【図３】
0003110372.tif 000005
【図４】
0003110372.tif 000006
【図５】
0003110372.tif 000007
【図６】
0003110372.tif 000008
【図７】
0003110372.tif 000009
【図８】
0003110372.tif 000010
【図９】
0003110372.tif 000011
【図１０】
0003110372.tif 000012